(57)【特許請求の範囲】
【請求項１】
天板に形成された開口を介してコンロバーナが上方に突出するように設けられると共に、前記開口の周囲の前記天板上に五徳が載置されてなり、前記コンロバーナは、鋼板を絞り加工することにより、上面が平面視環状をしたバーナキャップ載置部となる外筒と、内筒と、その間の底部とで囲まれる上方に開口する混合室を有するバーナ本体を形成し、前記バーナ本体の前記バーナキャップ載置部上に、周囲の外面に炎孔となる切欠又は開口を有するバーナキャップが載置されて構成され、前記バーナキャップの下面に位置決め用主突起及び位置決め用副突起が突設されると共に、前記コンロバーナのバーナキャップ載置部に前記位置決め用主突起が挿入可能な位置決め用被挿入部が形成され、前記位置決め用主突起が前記位置決め用被挿入部に挿入された時には前記位置決め用副突起の全体が前記外筒と前記内筒の間の混合室内に収容されて前記バーナキャップが前記五徳の上端部よりも下方に位置し、前記位置決め用主突起が前記位置決め用被挿入部に挿入されない時には前記位置決め用主突起又は前記位置決め用副突起の少なくとも一つが前記バーナキャップ載置部の上面に当接して前記バーナキャップが前記五徳の上端部よりも上方に位置するように、前記位置決め用主突起及び位置決め用副突起が形成されることを特徴とするガスコンロ。
【請求項２】
前記位置決め用副突起は、前記位置決め用主突起が前記位置決め用被挿入部に挿入された時に、平面視において前記バーナキャップ載置部の前記混合室側の面に沿う複数の箇所にそれぞれ設けられることを特徴とする請求項１記載のガスコンロ。
【請求項３】
バーナ本体の周方向の一部に炎検出手段又は／及び点火手段が設けられると共に、前記位置決め用副突起を前記炎検出手段と前記点火手段が設けられている箇所以外の箇所に設けることを特徴とする請求項１又は２記載のガスコンロ。
【発明の詳細な説明】
【技術分野】
【０００１】
本発明は、バーナ本体上にバーナキャップが載置されてなるコンロバーナを備えたガスコンロに関するものである。
【背景技術】
【０００２】
従来より、バーナ本体上にバーナキャップが載置され、天板の開口を介して上方に突出するコンロバーナを備えたガスコンロがよく知られている（例えば特許文献１参照）。バーナ本体は、平面視環状をしたバーナキャップ載置部の内部に上方に開口する混合室を有しており、前記バーナキャップ載置部上にバーナキャップが載置され、コンロバーナの周囲の外面に炎孔が形成される。
【０００３】
特許文献１に示されるガスコンロは、バーナキャップに嵌合位置決め用突起が設けられると共に、バーナヘッド（バーナ本体）に嵌合用開口孔が形成されている。バーナキャップがバーナヘッドに対して正規に（すなわち所定の位置に所定の向きで）載置された時には、バーナキャップに設けた嵌合位置決め用突起がバーナヘッドの嵌合用開口孔に嵌入することで、バーナキャップが下方に落下してバーナキャップがバーナヘッドに安定して載置できるものである。
【０００４】
しかしながら、バーナキャップがバーナヘッドに対して正規に載置されない時には、バーナキャップに設けた嵌合位置決め用突起がバーナヘッドの嵌合用開口孔に嵌入せず、バーナキャップがバーナヘッドから浮き上がり不安定となると共に所定の炎孔が形成されず、燃料ガスの流れが設計通りとならず所定の炎が形成されない惧れがあった。
【先行技術文献】
【特許文献】
【０００５】
【特許文献１】特開２０００−１９３２１２号公報
【発明の概要】
【発明が解決しようとする課題】
【０００６】
本発明は上記従来の問題点に鑑みて発明したものであって、その目的とするところは、  バーナキャップがバーナ本体上に正規に載置されていない時に、使用者が、バーナキャップがバーナ本体上に正規に載置されていないことを確実に認識することができるガスコンロを提供することを課題とするものである。
【課題を解決するための手段】
【０００７】
上記課題を解決するため、請求項１に係るガスコンロ１は、天板１１に形成された開口を介してコンロバーナ２が上方に突出するように設けられると共に、前記開口の周囲の前記天板１１上に五徳１２が載置されてなり、前記コンロバーナ２は、鋼板を絞り加工することにより、上面が平面視環状をしたバーナキャップ載置部３１となる外筒３４と、内筒３５と、その間の底部とで囲まれる上方に開口する混合室３２を有するバーナ本体３を形成し、前記バーナ本体３の前記バーナキャップ載置部３１上に、周囲の外面に炎孔となる切欠又は開口４１を有するバーナキャップ４が載置されて構成され、前記バーナキャップ４の下面に位置決め用主突起５及び位置決め用副突起６が突設されると共に、前記コンロバーナ２のバーナキャップ載置部３１に前記位置決め用主突起５が挿入可能な位置決め用被挿入部７が形成され、前記位置決め用主突起５が前記位置決め用被挿入部７に挿入された時には前記位置決め用副突起６の全体が前記外筒３４と前記内筒３５の間の混合室３２内に収容されて前記バーナキャップ４が前記五徳１２の上端部よりも下方に位置し、前記位置決め用主突起５が前記位置決め用被挿入部７に挿入されない時には前記位置決め用主突起５又は前記位置決め用副突起６の少なくとも一つが前記バーナキャップ載置部３１の上面に当接して前記バーナキャップ４が前記五徳１２の上端部よりも上方に位置するように、前記位置決め用主突起５及び位置決め用副突起６が形成されることを特徴とする。
【０００８】
これにより、バーナキャップ４が正規にバーナキャップ載置部３１上に載置されず位置決め用主突起５が位置決め用被挿入部７に挿入されない場合には、位置決め用主突起５又は位置決め用副突起６の少なくとも一つがバーナキャップ載置部３１の上面に当接して、バーナキャップ４の上端部が天板１１上に載置された五徳１２の上端部よりも上方に位置するため、使用者は、バーナキャップ４がバーナキャップ載置部３１上に正規に載置されていないことを確実に認識することができる。
【０００９】
また請求項２に係る発明は、請求項１に係る発明において、前記位置決め用副突起６は、前記位置決め用主突起５が前記位置決め用被挿入部７に挿入された時に、平面視において前記バーナキャップ載置部３１の前記混合室３２側の面に沿う複数の箇所にそれぞれ設けられることを特徴とする。
【００１０】
これにより、位置決め用副突起６を設けるにあたっての設計上の自由度が高くなるものである。
【００１１】
また請求項３に係る発明は、請求項１又は２に係る発明において、バーナ本体３の周方向の一部に炎検出手段２１又は／及び点火手段２２が設けられると共に、前記位置決め用副突起６を前記炎検出手段２１と前記点火手段２２が設けられている箇所以外の箇所に設けることを特徴とする。
【００１２】
これにより、位置決め用副突起６が炎検出手段２１や点火手段２２に炎や燃料ガスが達する妨げとなってしまうのを回避することができる。
【発明の効果】
【００１３】
本発明においては、バーナキャップがバーナ本体のバーナキャップ載置部上に正規に載置されない場合、使用者がバーナキャップが正規に載置されていないことを確実に認識することができ、バーナキャップがバーナ本体のバーナキャップ載置部上に正規に載置されないことによる不具合を未然に防ぐことができる。
【図面の簡単な説明】
【００１４】
【図１】本発明の一実施形態のガスコンロの全体斜視図である。
【図２】同上のガスコンロの天板及び向かって右側のコンロバーナを除いた斜視図である。
【図３】同上のガスコンロの燃料ガスの流路構成を示す説明図である。
【図４】同上のコンロバーナを示し、（ａ）はバーナ本体を上方より見た斜視図であり、（ｂ）はバーナキャップを上方より見た斜視図であり、（ｃ）はバーナキャップを下方より見た斜視図である。
【図５】同上のバーナキャップをガスコンロのバーナ本体から取り外した状態の要部斜視図である。
【図６】同上のバーナキャップの上面図である。
【図７】同上のバーナキャップの断面図である。
【図８】同上のバーナキャップを取り外したガスコンロの要部平面図であり、一点鎖線はバーナキャップが正規に載置された時の位置決め用主突起及び位置決め用副突起を示す。
【図９】同上のバーナキャップを取り外したガスコンロの要部断面図である。
【図１０】同上のバーナキャップを正規に載置したガスコンロの要部断面図である。
【図１１】同上のバーナキャップを誤って載置したガスコンロの要部断面図である。
【発明を実施するための形態】
【００１５】
以下、本発明を添付図面に示す実施形態に基いて説明する。本実施形態においては、ガスコンロとして一般的に広く利用されているグリル付きコンロについて説明するが、グリルを備えていないガスコンロであってもよい。また、キッチンカウンターにビルトインされるもの、されないもののいずれであってもよい。
【００１６】
ガスコンロ１は、図１、図２に示すように、少なくとも上方に開口する箱状をした筐体からなるコンロ本体１０と、コンロ本体１０の上方への開口を閉塞しガスコンロ１の天面部となるガラス製の天板１１と、で外殻が構成される。
【００１７】
天板１１にはコンロバーナ２を備えた加熱部が複数設けてある。図１に示す実施形態では、手前の左側の高火力コンロバーナ２ａ、中央の奥の小火力コンロバーナ２ｂ、手前の右側の高火力コンロバーナ２ｃをそれぞれ備えた計三個の加熱部が設けてある。このコンロバーナ２は、天板１１に形成された開口を介して天板１１上に突出させてあり、バーナ本体３と天板１１の前記開口縁との間に円環状のバーナリングＲが介装してあり、天板１１から煮汁等が下に落ちるのを防止している。天板１１の前記開口の周囲には、五徳１２が載置される。
【００１８】
五徳１２は、図５に示すように、略環状をした五徳枠１２ａと、複数個の五徳爪１２ｂとを一体に組み立てて形成されるものである。本実施形態では、五徳枠１２ａは、断面略円形状の金属製の丸棒材を平面視環状に曲成して形成し、五徳爪１２ｂは、五徳枠１２ａの周方向に略等間隔に複数個（本実施形態では６個）が溶接により一体に形成してある。なお、五徳枠１２ａは環状とならず周方向の一部が欠損していてもよい。
【００１９】
ガスコンロ１内にはグリルバーナを備えたグリル庫が設けてあり、グリル庫の前開口は、ガスコンロ１の前面に設けたグリル扉１３によって開閉自在に閉塞される。
【００２０】
ガスコンロ１の前面部を構成する前面パネル１４には、各加熱部を操作するための操作部１５が設けてある。便宜上、前面パネル１４が設けられている方を前方とし、左右はそれぞれ前方より後方を見た時の左右とする。
【００２１】
各操作部１５は、対応するコンロバーナ２の点火及び消火の切り替えや火力調節を指令するものであり、これを受けて制御部（図示せず）が各コンロバーナ２の点消火の切り替えや火力調節を行うと共に、コンロバーナ２毎に、調理タイマーモード、湯沸しモード、炊飯モード等の自動調理モードを設定できるようになっている。
【００２２】
制御部は、マイクロコンピュータからなるもので、各バーナ（コンロバーナ２、グリルバーナ）に設けてある熱電対からなる炎検出手段２１（図３参照）の熱起電力が入力され、制御部は入力された熱起電力が所定値（例えば３．５ｍＶ）以上になったときに、燃焼を認識する。
【００２３】
図３に示すように、都市ガス等の燃料ガスを供給するガス供給路１６から、各コンロバーナ２及びグリルバーナに燃料を供給するためのガス導管１７が分岐されている。
【００２４】
各ガス導管１７には、通電により開弁が保持され、通電が止まると閉弁する元電磁弁１８が設けられると共に、通過する燃料の量を制御する流量制御弁１９と、前記流量制御弁１９を駆動する駆動手段（図示せず）が設けられる。駆動手段としては、開度位置の微調整が可能なステッピングモータが好適に用いられるが、特に限定されない。また各ガス導管１７には、先端にシール材を介してガスノズル１７ａが螺着等により設けられる。
【００２５】
操作部１５を操作して制御部に点火の指令を送ると、指令を受けた制御部は、指令を受けたコンロバーナ２又はグリルバーナに対応するガス導管１７の元電磁弁１８を開き、且つ、流量制御弁１９を所定開度で開くと共に点火プラグからなる点火手段２２をスパークさせ、コンロバーナ２又はグリルバーナを点火する。これにより、コンロバーナ２の炎により加熱部上に載置した被加熱物を加熱したり、グリルバーナの炎によりグリル庫内の肉や魚を焼くことができる。
【００２６】
コンロバーナ２について図４、図５等に基づいて説明する。コンロバーナ２は、バーナ本体３にバーナキャップ４を着脱自在に載置して主体が構成されている。
【００２７】
バーナ本体３は、本実施形態では、ＳＵＳ鋼板を絞り加工して、上面がバーナキャップ載置部３１となる外筒３４と内筒３５とその間の底部とで囲まれる平面視略円環状をした上方に開口する混合室３２（正確には、この上にバーナキャップ４が載置されることで上側が閉塞された完全な混合室となる）を形成してある。本実施形態では、内筒３５の上下長さは外筒３４の上下長さよりも短く、内筒３５の上端部は外筒３４の上端部よりも低い位置にある。
【００２８】
またバーナ本体３は、混合管３３を一体的に有するもので、本実施形態では、外筒３４から管本体３３ａが突出して構成されている。管本体３３ａの先端（上流端）には、流入開口３３ｂ（図３参照）が形成され、この流入開口３３ｂに一次空気が挿通可能な空気供給用間隙をあけてガスノズル１７ａが挿入される。
【００２９】
図４に示すように、バーナキャップ４は、周囲の外面に炎孔となる切欠又は開口４１を有し、下面に放射状に前記切欠又は開口４１に連通する複数の炎孔用溝を凹設してあり、バーナキャップ４をバーナ本体３の上端のバーナキャップ載置部３１上に載置することにより、バーナキャップ載置部３１と切欠又は開口４１とで囲まれる炎孔が形成されるようになっている。前記炎孔が設計通りの所定の炎孔となるためには、バーナキャップ４がバーナキャップ載置部３１上に正規に（すなわち所定の位置に所定の向きで）載置される必要があるため、位置決め用主突起５と位置決め用副突起６と位置決め用被挿入部７が設けられるもので、後で詳述する。
【００３０】
本実施形態では、バーナキャップ４は中央に透孔４０が形成されると共に、バーナキャップ４の下面の前記透孔４０の周縁から下方に筒部４２が突設されている。このバーナキャップ４は、バーナキャップ載置部３１上に正規に載置された際、図１０に示すように筒部４２の下端部がバーナ本体３の内筒３５の上端部と当接又は近接して筒部４２と内筒３５とが略連続し、所定の混合室３２が形成される。
【００３１】
炎孔には、炎孔の周囲の空気が燃焼用の二次空気として供給される他、バーナ本体３の下方よりバーナ本体３の中央の透孔３０及び前記透孔４０を通っても燃焼用の二次空気が供給されるようになっている。
【００３２】
コンロバーナ２は、加熱部に載置される被加熱物としての調理用鍋の鍋底に当接して温度を検知する温度検知手段２３を備えており、透孔３０及び透孔４０を介して上方に露出している。温度検知手段２３としては熱電対、サーミスタ等が好適に用いられるが、特に限定されない。またコンロバーナ２は、図８に示すように周方向の一部にそれぞれ上記炎検出手段２１と点火手段２２とを備えている。
【００３３】
本発明においては、バーナキャップ４の下面に位置決め用主突起５及び位置決め用副突起６を突設すると共に、コンロバーナ２のバーナキャップ載置部３１に前記位置決め用主突起５が挿入可能な位置決め用被挿入部７を形成するものである。
【００３４】
本実施形態では、位置決め用主突起５は図６、図７に示すように、バーナキャップ４の下面の周方向の一部に、平面視におけるバーナキャップ４の透孔４０の中心Ｏ４から外側の端面５１までの距離Ｌ５が、図８、図９に示すバーナ本体３の透孔３０の中心Ｏ３から外筒３４の内面までの距離Ｌ３よりも長くなるように形成してある。一方、バーナキャップ載置部３１には図８、図９に示すように、バーナキャップ４が正規に載置された時に位置決め用主突起５が位置する部分に、バーナ本体３の中心Ｏ３から奥面までの距離Ｌ７が前記距離Ｌ５よりも長い、位置決め用主突起５の外側の端部が挿入可能な位置決め用被挿入部７が切欠されている。
【００３５】
位置決め用主突起５の内側の端部は、図８に示すようにバーナ本体３の内筒３５よりも外側にあって混合室３２内に位置するようになっている。
【００３６】
また図７に示すように、位置決め用主突起５の下端部からバーナキャップ４の上端部までの高さＨ５は、図９に示すバーナキャップ載置部３１（本実施形態ではバーナキャップ載置部３１が傾斜しているためその下端部）から天板１１に載置された五徳１２の上端部までの高さＨ３よりも高く形成するものである。
【００３７】
位置決め用副突起６は、バーナキャップ４が正規に載置された時にバーナキャップ載置部３１の混合室３２側の面（外筒３４の内面）に沿うように設けられるもので、本実施形態では図６及び図７に示すように、平面視において中心Ｏ４を挟んで位置決め用主突起５と対向する位置を中心とする周方向両側の二箇所に設けてある。平面視におけるバーナキャップ４の前記中心Ｏ４から位置決め用副突起６の外側の端面６１までの距離Ｌ６が、バーナ本体３の前記中心Ｏ３から外筒３４の内面までの距離Ｌ３よりも短くなるように形成してある。位置決め用副突起６の内側の端部は、図８に示すようにバーナ本体３の内筒３５よりも外側にあって混合室３２内に位置するようになっている。
【００３８】
また図７に示すように、位置決め用副突起６の下端部からバーナキャップ４の上端部までの高さＨ６も、位置決め用主突起５の高さＨ５と同様に、図９に示すバーナキャップ載置部３１から五徳１２の上端部までの高さＨ３よりも高く形成するものである。
【００３９】
バーナキャップ４をバーナキャップ載置部３１上に正規に載置して装着すると、図１０に示すように、位置決め用主突起５の外側の端部が位置決め用被挿入部７に挿入されると共に内側の端部は混合室３２内に位置し、位置決め用副突起６は全体が外筒３４と内筒３５の間の混合室３２に収容される。そして、バーナキャップ４の上端部は、天板１１上に載置された五徳１２の上端部よりも下方に位置し、何ら支障なく調理用鍋等の被加熱物が五徳１２上に載置される。
【００４０】
以下、バーナキャップ４をバーナキャップ載置部３１上に正規に載置しない場合について説明する。
【００４１】
まず、バーナキャップ４はバーナキャップ載置部３１の所定の位置にある（すなわちバーナキャップ４の前記中心Ｏ４とバーナ本体３の前記中心Ｏ３とが一致している）ものの、バーナキャップ４の向きが所定の向きとなっていない場合には、位置決め用主突起５は位置決め用被挿入部７からずれて位置するため、バーナキャップ４を下ろすと、位置決め用主突起５の下端部がバーナキャップ載置部３１上に載置されてしまう。
【００４２】
上述したように、位置決め用主突起５の高さＨ５はバーナキャップ載置部３１から五徳１２の上端部までの高さＨ３よりも高く形成してあるため、位置決め用主突起５の下端部がバーナキャップ載置部３１上に載置されると、バーナキャップ４の上端部が天板１１上に載置された五徳１２の上端部よりも上方に位置してしまう。すると、調理用鍋等の被加熱物を五徳１２上に載置しようとしてもバーナキャップ４に当接して載置することができず、使用者はバーナキャップ４が正規に載置されていないことを認識する。
【００４３】
次に、バーナキャップ４が所定の位置にない（すなわちバーナキャップ４の前記中心Ｏ４とバーナ本体３の前記中心Ｏ３とが一致していない）場合について説明する。
【００４４】
図１１に示すように位置決め用主突起５が正規の場合よりも内側に偏って外筒３４内に入り込んでしまうと、いずれかの位置決め用副突起６がバーナキャップ載置部３１上に載置されてしまう。上述したように、位置決め用副突起６の高さＨ６もバーナキャップ載置部３１から五徳１２の上端部までの高さＨ３よりも高く形成してあるため、いずれかの位置決め用副突起６の下端部がバーナキャップ載置部３１上に載置されると、バーナキャップ４の上端部が天板１１上に載置された五徳１２の上端部よりも上方に位置してしまい、使用者はバーナキャップ４が正規に載置されていないことを認識する。
【００４５】
また、位置決め用主突起５が外側に偏ってしまうと、位置決め用主突起５自身がバーナキャップ載置部３１上に載置されて、バーナキャップ４の上端部が天板１１上に載置された五徳１２の上端部よりも上方に位置してしまい、使用者はバーナキャップ４が正規に載置されていないことを認識する。
【００４６】
上述したように、バーナキャップ４が正規にバーナキャップ載置部３１上に載置されず位置決め用主突起５が位置決め用被挿入部７に挿入されない場合には、位置決め用主突起５又は位置決め用副突起６の少なくとも一つがバーナキャップ載置部３１の上面に当接するため、使用者はバーナキャップ４が正規に載置されていないことを認識する。
【００４７】
これにより、バーナキャップ４がバーナ本体３のバーナキャップ載置部３１上に正規に載置されない場合、使用者がバーナキャップ４が正規に載置されていないことを確実に認識することができ、バーナキャップ４がバーナ本体３のバーナキャップ載置部３１上に正規に載置されないことによる不具合、例えば、バーナキャップ４が浮き上がって不安定となり、所定の炎孔が形成されず所定の炎が形成されない、といったことを未然に防ぐことができる。
【００４８】
上記実施形態においては、位置決め用副突起６をバーナキャップ載置部３１の混合室３２側の面に沿う二箇所に設けているが、一箇所や三箇所やそれ以上であってもよい。この場合でも、バーナキャップ４が所定の位置にない（すなわち中心Ｏ４と中心Ｏ３とが一致しない）時に、位置決め用主突起５又は位置決め用副突起６の少なくとも一つがバーナキャップ載置部３１の上面に当接する必要がある。
【００４９】
ここで、位置決め用副突起６をバーナキャップ載置部３１の混合室３２側の面に沿う二以上の箇所に設ける場合には、位置決め用副突起６を、平面視において中心Ｏ４を挟んで位置決め用主突起５と対向する位置に設ける必要はない。これにより、位置決め用副突起６を設けるにあたっての設計上の自由度が高くなるものである。特に、位置決め用副突起６を設けるにあたり、コンロバーナ２のバーナ本体３の周方向の上記炎検出手段２１及び点火手段２２が設けられている箇所以外の箇所に設けるのが好ましい。これにより、位置決め用副突起６が炎検出手段２１や点火手段２２に炎や燃料ガスが達する妨げとなってしまうのを回避することができる。
【００５０】
また、位置決め用副突起６をバーナキャップ載置部３１の混合室３２側の面に沿う一箇所に設ける場合には、平面視において中心Ｏ４を挟んで位置決め用主突起５と対向する位置に位置決め用副突起６を設けないと、バーナキャップ４が正規に載置されていないにもかかわらず位置決め用主突起５と位置決め用副突起６の両方が混合室３２内に入り込んでしまって、バーナキャップ載置部３１の上面に当接しない可能性がある。すると、バーナキャップ４の上端部が天板１１上に載置された五徳１２の上端部よりも下方に位置してしまい、使用者が調理用鍋等の被加熱物を五徳１２上に支障なく載置することができて、バーナキャップ４が正規に載置されていないことを認識し損なう惧れがある。このため、位置決め用副突起６を平面視において中心Ｏ４を挟んで位置決め用主突起５と対向する位置に設けることになる。
【００５１】
更に、図示はしないが、バーナキャップ載置部３１の位置決め用副突起６に対応する位置に、位置決め用副突起６が挿入される被挿入部を形成してもよい。この場合、位置決め用主突起５と位置決め用副突起６の幅を異ならせると共に、位置決め用主突起５と位置決め用副突起６とに合わせて位置決め用の被挿入部７と前記被挿入部の幅も異ならせることで、位置決め用主突起５と位置決め用副突起６とが入れ替わって挿入されるのを防止することができる。
【符号の説明】
【００５２】
１    ガスコンロ
１０  コンロ本体
１１  天板
１２  五徳
２    コンロバーナ
３    バーナ本体
３０  透孔
３１  バーナキャップ載置部
３２  混合室
３４  外筒
３５  内筒
４    バーナキャップ
４０  透孔
４１  炎孔用の切欠又は開口
４２  筒部
５    位置決め用主突起
６    位置決め用副突起
７    位置決め用被挿入部
Ｒ    バーナリング
【図１】
0005658532.tif 000002
【図２】
0005658532.tif 000003
【図３】
0005658532.tif 000004
【図４】
0005658532.tif 000005
【図５】
0005658532.tif 000006
【図６】
0005658532.tif 000007
【図７】
0005658532.tif 000008
【図８】
0005658532.tif 000009
【図９】
0005658532.tif 000010
【図１０】
0005658532.tif 000011
【図１１】
0005658532.tif 000012